(57)【要約】      （修正有）【課題】特定種類のジョブ情報が正常に表示されない場合であっても次善の策を適切に講じることができる構成を提供する。【解決手段】画像形成装置は、上位装置から送られる印刷ジョブを取得し（Ｓ１０）、取得される印刷ジョブに対応した特定種類のジョブ情報を表示手段に表示する際に、特定種類のジョブ情報において、表示手段にて表示不能な文字が含まれているか否かを判断し（Ｓ２０）、表示不能な文字が含まれていると判断された場合、特定種類のジョブ情報に代え、当該特定種類のジョブ情報よりも表示不能な文字が少ない別種類のジョブ情報を表示手段に表示させる（Ｓ４０）、手段を備えた構成をなしている。【選択図】図４
2008149534.tif 000002
【特許請求の範囲】
【請求項１】
上位装置から送られる印刷ジョブを取得する取得手段と、
前記取得手段にて取得される前記印刷ジョブに対応した特定種類のジョブ情報を表示可能な表示手段と、
前記特定種類のジョブ情報において、前記表示手段にて表示不能な文字が含まれているか否かを判断する判断手段と、
前記判断手段により前記表示不能な文字が含まれていると判断された場合、前記特定種類のジョブ情報に代え、当該特定種類のジョブ情報よりも表示不能な文字が少ない別種類のジョブ情報を前記表示手段に表示させる表示制御手段と、
を備えたことを特徴とする画像形成装置。
【請求項２】
前記特定種類の表示情報は、前記印刷ジョブのファイル名を含むことを特徴とする請求項１記載の画像形成装置。
【請求項３】
前記特定種類の表示情報は、前記印刷ジョブを生成したユーザ情報を含むことを特徴とする請求項１又は請求項２に記載の画像形成装置。
【請求項４】
前記別種類のジョブ情報は、前記印刷ジョブに関する時間情報からなることを特徴とする請求項１ないし請求項３のいずれか一項に記載の画像形成装置。
【請求項５】
前記判断手段は、前記特定種類のジョブ情報に前記表示不能な文字が少なくとも含まれているか否かを判断し、
前記表示制御手段は、前記判断手段により前記表示不能な文字が含まれると判断された場合に、前記特定種類のジョブ情報に代え、前記表示不能な文字が含まれない前記別種類のジョブ情報を前記表示手段に表示させるように制御を行うことを特徴とする請求項１ないし請求項４のいずれか一項に記載の画像形成装置。
【請求項６】
前記判断手段は、前記特定種類のジョブ情報に前記表示不能な文字が所定状態で含まれているか否かを判断し、
前記表示制御手段は、前記判断手段により前記表示不能な文字が前記所定状態で含まれていると判断された場合に、前記特定種類のジョブ情報に代え、前記別種類のジョブ情報を前記表示手段に表示させるように制御を行うことを特徴とする請求項１ないし請求項４のいずれか一項に記載の画像形成装置。
【発明の詳細な説明】
【技術分野】
【０００１】
本発明は、画像形成装置に関する。
【背景技術】
【０００２】
従来より、画像形成装置において、印刷ジョブ名等のジョブ情報を表示部に表示する技術が提供されている。この技術によれば、ユーザが印刷ジョブに係る各種情報を画像形成装置において把握できるようになる。例えば、印刷ジョブ名を表示画面を表示する場合には、どの印刷ジョブが印刷対象となっているのかをユーザが容易に把握できるようになる。
【特許文献１】特開２００５−２９３２２５公報
【発明の開示】
【発明が解決しようとする課題】
【０００３】
ところで、印刷ジョブに係るジョブ情報には、画像形成装置の表示部でサポートされない文字が含まれる場合がある。例えば、表示部で「ひらがな」がサポートされていない場合、印刷ジョブ名に「ひらがな」が含まれる場合には、表示部で印刷ジョブ名を適切に表示することができないため、何らかの措置を講じる必要がある。
【０００４】
一方、特許文献１では、印刷ジョブ名を表示可能な文字種に一旦変換して表示する技術が開示されている。しかしながら、この技術は、何らかの文字種を用いて印刷ジョブ名を表示するための変換手段を必要とするため、構成が複雑化してしまうという問題がある。また、変換された結果が必ずしも印刷ジョブ名を良好に表すわけではなく、印刷ジョブを特定し得ない情報となる虞がある。
【０００５】
本発明は上記のような事情に基づいて完成されたものであって、特定種類のジョブ情報が正常に表示されない場合であっても次善の策を適切に講じることができる構成を提供することを目的とする。
【課題を解決するための手段】
【０００６】
本発明は、上位装置から送られる印刷ジョブを取得する取得手段と、前記取得手段にて取得される前記印刷ジョブに対応した特定種類のジョブ情報を表示可能な表示手段と、前記特定種類のジョブ情報において、前記表示手段にて表示不能な文字が含まれているか否かを判断する判断手段と、前記判断手段により前記表示不能な文字が含まれていると判断された場合、前記特定種類のジョブ情報に代え、当該特定種類のジョブ情報よりも表示不能な文字が少ない別種類のジョブ情報を前記表示手段に表示させる表示制御手段と、を備えたことを特徴とする。
【０００７】
本発明によれば、表示手段によって表示できない文字が、特定種類のジョブ情報に含まれている場合に、特定種類のジョブ情報よりも表示不能な文字が少ない別種類のジョブ情報が表示手段に表示されることとなる。従って、特定種類のジョブ情報が正常に表示されない場合であっても次善の策を適切に講じることができる。
なお、「特定種類のジョブ情報において、表示手段にて表示不能な文字が含まれているか否か」の判断は、「特定種類のジョブ情報に、表示手段にて表示不能な文字が少なくとも１つ含まれているか否か」を判断してもよく、「特定種類のジョブ情報に、表示手段にて表示不能な文字が所定状態で含まれているか否か」を判断してもよい。
【０００８】
上記構成において、前記特定種類の表示情報を、前記印刷ジョブのファイル名を含むものとすることができる。
このように印刷ジョブのファイル名を表示手段に表示できるようにすれば、どのファイルに係る印刷ジョブなのかを適切に把握できるようになる。一方、ファイル名の文字種は、アプリケーションの種類やユーザーによる付与方法によって多種にわたる可能性があるため、表示手段によって表示できない文字が多く含まれる虞があるが、本発明によれば、このようなファイル名に対して適切に対応できる。
【０００９】
上記構成において、前記特定種類の表示情報を、前記印刷ジョブを生成したユーザ情報を含むものとすることができる。
このように印刷ジョブに係るユーザー名を表示手段に表示できるようにすれば、どのユーザによる印刷ジョブなのかを適切に把握できるようになる。一方、ユーザー名は、文字種が多種にわたる可能性があり、表示手段によって表示できない文字が多く含まれる虞があるが、本発明によれば、このようなユーザー名に適切に対応できる。なお、ここでいう、「ユーザー情報」は、ファイルを作成したユーザー名や、コンピュータのユーザー名などを含む概念である。
【００１０】
上記構成において、前記別種類のジョブ情報を、前記印刷ジョブに関する時間情報からなるものとすることができる。
時間情報は数字データを主体として構成できるため汎用性に優れ、表示装置を簡素で安価な構成としても情報を良好に表示できる。
【００１１】
なお、上記「印刷ジョブに関する時間情報」は、印刷ジョブが生成された時間（日付や時間）、印刷ジョブが出力された時間、印刷ジョブに係るファイルが生成された時間などが挙げられる。
【００１２】
上記構成において、前記判断手段を、前記特定種類のジョブ情報に前記表示不能な文字が少なくとも含まれているか否かを判断する構成とし、前記表示制御手段を、前記判断手段により前記表示不能な文字が含まれると判断された場合に、前記特定種類のジョブ情報に代え、前記表示不能な文字が含まれない前記別種類のジョブ情報を前記表示手段に表示させるように制御を行う構成とすることができる。
このようにすれば、特定種類のジョブ情報に表示不能な文字が少なくとも含まれる場合に、次善策として表示可能な文字のみで構成される別種類のジョブ情報を表示できるようになる。
【００１３】
上記構成において、前記判断手段を、前記特定種類のジョブ情報に前記表示不能な文字が所定状態で含まれているか否かを判断する構成とし、前記表示制御手段を、前記判断手段により前記表示不能な文字が前記所定状態で含まれていると判断された場合に、前記特定種類のジョブ情報に代え、前記別種類のジョブ情報を前記表示手段に表示させるように制御を行う構成とすることができる。
このようにすれば、特定種類のジョブ情報において、表示不能な文字が所定状態で含まれる場合に、次善策として別種類のジョブ情報を表示できるようになる。
【００１４】
なお、上記「所定状態」とは、「表示不能な文字が一定数以上」、「表示不能な文字が全体に対して一定割合以上」、「表示不能な文字が特定箇所に含まれる」などが挙げられる。
【発明の効果】
【００１５】
本発明によれば、表示手段によって表示できない文字が、特定種類のジョブ情報に含まれている場合に、特定種類のジョブ情報よりも表示不能な文字が少ない別種類のジョブ情報が表示手段に表示されることとなる。従って、特定種類のジョブ情報が正常に表示されない場合であっても次善の策を適切に講じることができる。
【発明を実施するための最良の形態】
【００１６】
＜実施形態１＞
本発明の実施形態１を図面を参照して説明する。
図１は本発明の実施形態１に係る画像形成装置２０を用いた画像形成システム１を例示するブロック図である。図１の画像形成システム１は、本発明の一例である画像形成装置２０を通信線３０によってコンピュータ１０と接続した構成となっている。
【００１７】
画像形成装置２０は、例えばカラーレーザプリンタとして構成されるものであり、ＣＰＵ２１，ＲＯＭ２２、ＲＡＭ２３、ハードディスクドライブ２４（ＨＤＤ２４とも称する）、各種ボタンやタッチパネルなどからなる操作キー２５、液晶パネルなどからなる表示パネル２６（表示パネル２６は、表示手段の一例に相当する）、不揮発性ＲＡＭ２７などを備えている。また、コンピュータ１０と情報通信（例えばコンピュータ１０からの印刷データやジョブ情報の取得）を行うインターフェース２９と、印刷データに基づいて画像形成を行う印刷部２８とを備えている。
【００１８】
コンピュータ１０は、公知のパーソナルコンピュータなどとして構成されるものであり、ＣＰＵ１１，ＲＯＭ１２，ＲＡＭ１３，ハードディスクドライブ１４（以下、ＨＤＤ１４とも称する）が設けられており、さらに、各種ボタンやタッチパネルなどからなる操作部１５、液晶パネルや各種ランプなどからなる表示部１６が設けられている。また、画像形成装置２０と情報通信を行うためのインターフェース１７が設けられている。
【００１９】
なお、以下では、コンピュータ１０に設けられたプログラム（プリンタドライバ）から、印刷ジョブデータが送られた場合について説明する。印刷ジョブデータは、図２に示すように、ジョブ情報と、印刷データ本体とを有してなるものであり、ジョブ情報には、印刷ジョブ名、日付時刻情報、ユーザー名、ホストコンピュータ名が含まれている。
【００２０】
図３は、ジョブ情報の具体例を概略的に示しており、印刷ジョブ名が「業務文書.doc」であり、日付時刻情報が「Thu,9 Nov 2006 16:42:52」であり、ユーザー名が「利用者１」であり、ホストコンピュータが「host1」とされている例について示している。
【００２１】
次に、特徴的処理について説明する。
図４は特徴的処理の一例を示すフローチャートであり、印刷ジョブデータが画像形成装置２０に送られた場合の表示処理の流れを例示している。
本実施形態の画像形成装置２０では、上位装置（コンピュータ１０が上位装置に相当する）から送られる印刷ジョブを取得し、その取得される印刷ジョブに対応した印刷ジョブ名（印刷ジョブ名は、印刷ジョブのファイル名を示すものであり、特定種類のジョブ情報の一例に相当する）を表示パネル２６に表示できるようになっている。なお、ＣＰＵ２１は、印刷ジョブを取得する取得手段の一例に相当する。
【００２２】
このような構成において、印刷ジョブ名に表示パネル２６にて表示不能な文字が含まれているか否かを判断し、表示不能な文字が含まれていると判断された場合、印刷ジョブ名に代え、この印刷ジョブ名よりも表示不能な文字が少ない別種類のジョブ情報（具体的には日付時刻情報）を表示パネル２６に表示させるようにしている。以下、具体的に説明する。なお、ＣＰＵ２１は、判断手段、表示制御手段の一例に相当している。
【００２３】
図４の処理は、例えば印刷ジョブデータの取得に伴って実行開始されるものであり、当該処理が開始されるとまずＳ１０にて印刷ジョブ名の文字列と、ジョブの日付時刻情報とを取得する。そして、印刷ジョブ名に表示パネル２６で表示できない文字が含まれているか否かを判断する。
【００２４】
表示パネル２６に表示できない文字か否かは、予め記憶手段（ＲＯＭ２２や不揮発性メモリ２７）に記憶される情報に基づいて行われる。即ち、記憶手段には、表示パネル２６にて表示可能な文字を特定する特定情報（例えば、表示可能な文字の文字コード情報）が記憶されており、印刷ジョブ名において、この特定情報で特定できない文字が含まれている場合（例えば、表示可能な文字の文字コード以外の文字が含まれている場合）に、表示パネル２６で表示できない文字が含まれていると判断する。
【００２５】
ここでは、表示パネル２６において、「日本語漢字」の表示がサポートされておらず（即ち、日本語漢字は表示パネル２６にて表示不能な文字とされており）、印刷ジョブ名に「業務文書」という日本語漢字が含まれているため、Ｓ２０にてＹＥＳに進む。そして、別種類のジョブ情報としてジョブ情報に含まれる日付時刻情報を表示する。この日付時刻情報は、印刷ジョブに関する「時間情報」の一例に相当するものである。
【００２６】
本実施形態では、日付時刻情報の全ての文字が、表示パネル２６で表示可能な、アルファベット、数字、及び一定の記号によって構成されているため、日付時刻情報は表示パネル２６において正確に表示されることとなる（Ｓ４０）。一方、印刷ジョブ名が図３のような構成ではなく、表示パネル２６で表示可能な、アルファベット、数字、及び一定の記号によって構成される場合にはＳ２０にてＮＯに進み、表示パネル２６に印刷ジョブ名を表示することとなる（Ｓ３０）。
【００２７】
この構成では、印刷ジョブ名において表示パネル２６に表示不能な文字が少なくとも１つ含まれているか否かを判断しており、ＣＰＵ２１では、表示不能な文字が含まれると判断された場合に、印刷ジョブ名に代え、表示不能な文字が含まれない日付時刻情報を表示パネル２６に表示させるように制御を行っている。
【００２８】
また、図４の処理に代えて、図５のようにしてもよい。図５では、特定種類の表示情報が印刷ジョブを生成したユーザ情報をも有する場合について示している。即ち、画像形成装置２０では、上位装置（コンピュータ１０が上位装置に相当する）から送られる印刷ジョブを取得し、上述の印刷ジョブ名に加え、その取得される印刷ジョブに対応したユーザ名（ユーザ名は、特定種類のジョブ情報の一例に相当する）をも表示パネル２６に表示できるようになっている。このような構成において、印刷ジョブ名及びユーザ名に表示パネル２６にて表示不能な文字が含まれているか否かを判断し、表示不能な文字が含まれていると判断された場合、印刷ジョブ名及びユーザ名に代え、これら印刷ジョブ名及びユーザ名よりも表示不能な文字が少ない別種類のジョブ情報（具体的には日付時刻情報）を表示パネル２６に表示させるようにしている。
【００２９】
具体的には、当該処理が開始されるとまずＳ１１０にてユーザ名の文字列と、印刷ジョブ名の文字列と、印刷ジョブの日付時刻情報とを取得する。そして、ユーザ名と印刷ジョブ名に表示パネル２６で表示できない文字が含まれているか否かを判断する。
【００３０】
本実施形態の例では、表示パネル２６において、「日本語漢字」の表示がサポートされておらず（即ち、日本語漢字は表示パネル２６にて表示不能な文字とされており）、ユーザ名に「利用者」という日本語漢字が含まれているため、Ｓ１２０にてＹＥＳに進む。そして、別種類のジョブ情報としてジョブ情報に含まれる日付時刻情報を表示する（Ｓ１４０）。この日付時刻情報は、印刷ジョブに関する「時間情報」の一例に相当するものである。
【００３１】
本実施形態では、日付時刻情報の全ての文字が、表示パネル２６で表示可能な、アルファベット、数字、及び一定の記号によって構成されているため、日付時刻情報は表示パネル２６において正確に表示されることとなる（Ｓ１４０）。一方、ユーザ名及び印刷ジョブ名が共に図３のような構成ではなく、表示パネル２６で表示可能な、アルファベット、数字、及び一定の記号によって構成される場合にはＳ２０にてＮＯに進み、表示パネル２６にユーザ名及び印刷ジョブ名を表示することとなる（Ｓ１３０）。
【００３２】
なお、図５の例では、ユーザ名と印刷ジョブ名とを共に表示パネル２６に表示させる例を示したが、ユーザ名のみを表示させる構成であってもよい。即ち、画像形成装置２０を、上位装置（コンピュータ１０が上位装置に相当する）から送られる印刷ジョブを取得し、その取得される印刷ジョブに対応したユーザ名（ユーザ名は、特定種類のジョブ情報の一例に相当する）を表示パネル２６に表示する構成とすることができる。そして、このような構成において、ユーザ名に表示パネル２６にて表示不能な文字が含まれているか否かを判断し、表示不能な文字が含まれていると判断された場合、ユーザ名に代え、ユーザ名よりも表示不能な文字が少ない別種類のジョブ情報（具体的には日付時刻情報）を表示パネル２６に表示させるようにしてもよい。
【００３３】
以上のように、本実施形態によれば、表示手段によって表示できない文字が、特定種類のジョブ情報に含まれている場合に、特定種類のジョブ情報よりも表示不能な文字が少ない別種類のジョブ情報が表示手段に表示されることとなる。従って、特定種類のジョブ情報が正常に表示されない場合であっても次善の策を適切に講じることができる。
【００３４】
また、図４の例では、特定種類の表示情報を、印刷ジョブのファイル名を含む構成としている。このように印刷ジョブのファイル名を表示手段に表示できるようにすれば、どのファイルに係る印刷ジョブなのかを適切に把握できるようになる。一方、ファイル名の文字種は、アプリケーションの種類やユーザーによる付与方法によって多種にわたる可能性があるため、表示手段によって表示できない文字が多く含まれる虞があるが、図４の構成によれば、このようなファイル名に対して適切に対応できる。
【００３５】
また、図５の例では、特定種類の表示情報を、印刷ジョブを生成したユーザ情報を含む構成としている。このように印刷ジョブに係るユーザー名を表示手段に表示できるようにすれば、どのユーザによる印刷ジョブなのかを適切に把握できるようになる。一方、ユーザー名は、文字種が多種にわたる可能性があり、表示手段によって表示できない文字が多く含まれる虞があるが、図５の構成によれば、このようなユーザー名に適切に対応できる。
【００３６】
また、上記構成では、別種類のジョブ情報として、印刷ジョブに関する時間情報を採用している。このような時間情報は数字データを主体として構成できるため汎用性に優れ、表示装置を簡素で安価な構成としても情報を良好に表示できる。
【００３７】
また、上記構成では、特定種類のジョブ情報に表示不能な文字が少なくとも含まれているか否かを判断しており、表示不能な文字が含まれると判断された場合に、特定種類のジョブ情報に代え、表示不能な文字が含まれない別種類のジョブ情報を表示手段に表示させる構成としている。このようにすれば、特定種類のジョブ情報に表示不能な文字が少なくとも含まれる場合に、図６のような不具合を生じさせることとはならず、次善策として表示可能な文字のみで構成される別種類のジョブ情報（図７参照）を表示できるようになる。なお、図６は、印刷ジョブ名のうちの表示不能な文字を特定文字に変更して表示する例を示しており、図７は、本実施形態のように日付時刻情報に変更して表示する例を示している。
【００３８】
＜実施形態２＞
次に、本発明の実施形態２を図８によって説明する。
本実施形態では、印刷ジョブデータに含まれる特定種類のジョブ情報（例えば印刷ジョブ名）に表示不能な文字が所定状態で含まれているか否かを判断する構成とし、表示不能な文字が所定状態で含まれていると判断された場合に、特定種類のジョブ情報に代え、別種類のジョブ情報を表示パネル２６に表示させるように制御を行う構成となっている。なお、本実施形態では、画像形成装置のハードウェア構成は図１と同じであり、実施形態１と同様に、ＣＰＵ２１が取得手段、判断手段、表示制御手段の一例に相当してる。
【００３９】
図８の処理は、図４の処理と同様に印刷ジョブデータの取得に応じて実行開始されるものである。図８の例では「表示不能な文字が所定状態で含まれているか否か」の判断例として、具体的に「表示不能な文字が一定数以上含まれているか否か」を判断している。
【００４０】
まず、Ｓ２００において、変数Ｘを０とする。この変数Ｘは、特定種類のジョブ情報において表示不能な文字か否かの判断を行った文字数である、「判断済み文字数」を示すものである。
【００４１】
また、変数Ｙを０とする。この変数Ｙは、特定種類のジョブ情報における表示不能な文字のカウント数である「表示不能文字カウント数」を示すものである。つまり、それまでの判断において表示不能とされた文字のカウント数を示しており、全ての文字において表示不能な文字か否かの判断を行った場合には、このＹの値が、特定種類のジョブ情報における表示不能文字数となる。
【００４２】
次に、Ｓ２１０にて、特定種類のジョブ情報（即ち、印刷ジョブ名）においてすべての文字の判断（表示パネル２６に表示不能な文字か否かの判断）が終了したか否かを判断する。具体的には、特定種類のジョブ情報の文字列の最後に文字列終了コードが付されるようになっているため、既に判断を行った文字の次の文字（Ｘ＋１番目の文字）がこの文字列終了コードか否かを判断している。全ての文字の判断が終了している場合には、Ｓ２１０にてＹＥＳに進む。全ての文字の判断が終了していない場合にはＳ２１０にてＮＯに進む。
【００４３】
Ｓ２１０にてＮＯに進む場合には、特定種類のジョブ情報の文字列において、次の文字（Ｘ＋１番目の文字）が表示パネル２６に表示不能な文字か否かを判断する。判断完了した文字の次の文字が表示不能文字である場合にはＳ２２０にてＹＥＳに進み、Ｓ２３０において、Ｙ加算処理を行う。この例では、表示不能文字カウント数（即ちＹ）に１を加算する。一方、Ｓ２２０にて表示可能と判断される場合にはＳ２２０にてＮＯに進む。その後、Ｘ加算処理を行う。この例では、Ｘ（判断済み文字数）に１を加算する。
【００４４】
Ｓ２１０にてＹＥＳに進んだ場合、Ｓ２５０において、表示不能な文字が一定数以上含まれているか否かを判断する。一定数が例えば「２」と定められている場合、Ｙが２以上か否かを判断する。そして、表示不能は文字が一定数以上含まれている場合には、Ｓ２５０にてＹＥＳに進み、印刷ジョブ名に代えて、日付時刻情報を表示する（Ｓ２６０）。この表示は、実施形態１の図４Ｓ４０と同様である。また、表示不能な文字が一定数未満の場合には、印刷ジョブ名をそのまま表示する（Ｓ２７０）。この場合、表示不能な文字のみを予め定められた表示可能な記号（例えば「？」記号など）に置き換えて表示することができる。
【００４５】
なお、図８の例では、特定種類のジョブ情報が１バイト文字からなる場合を例示しているが、１バイト文字と２バイト文字が混在している場合にも同様の処理方法が適用できる。この場合には、Ｓ２２０の判断において、１バイト文字か２バイト文字かの判断をも併せて行うようにし、１バイト文字である場合には上述の通りの処理（Ｓ２３０でＹに１を加算かつＳ２４０でＸに１を加算）を行い、Ｓ２２０で２バイト文字と判断される場合には、Ｓ２３０のＹ加算処理においてＹに２を加算し、Ｓ２４０のＸ加算処理においてＸに２を加算するようにすればよい。
【００４６】
本実施形態の構成によれば特定種類のジョブ情報において、表示不能な文字が所定状態で含まれる場合に、次善策として別種類のジョブ情報を表示できるようになる。
【００４７】
＜他の実施形態＞
本発明は上記記述及び図面によって説明した実施形態に限定されるものではなく、例えば次のような実施形態も本発明の技術的範囲に含まれる。
【００４８】
上記実施形態では、別種類のジョブ情報として印刷ジョブに関する時間情報を例示したが、印刷ジョブを特定しうるものであれば別の情報でもよい。例えば、ジョブ情報において、表示可能な文字のみで構成されるものを選び、それを表示するようにしてもよい。例えば、印刷ジョブ名に表示不能な文字が含まれているが、ユーザ名が表示可能な文字のみで構成される場合、印刷ジョブ名の代わりにユーザ名を表示するようにしてもよい。
【００４９】
上記実施形態では、「印刷ジョブに関する時間情報」として、印刷ジョブが生成された時間（日付及び時刻）を示す日付時刻情報を例示したが、印刷ジョブが出力された日付時刻や、印刷ジョブに係るファイルが生成された日付時刻などを日付時刻情報とし、別種類のジョブ情報として表示するようにしてもよい。
【００５０】
上記実施形態では、別種類のジョブ情報としてアルファベット、数字、及び一定の記号からなる情報を表示するようにしたが、数字と一定の記号からなる日付時刻情報を別種類のジョブ情報としてもよい。例えば、２０００年１月１日０時０分の情報であれば、「2000/01/01:00:00」などと表示することで実現できる。また、数字のみからなる日付時刻情報を別種類のジョブ情報としてもよい。この場合、例えば、２０００年１月１日０時０分の情報であれば、「2000  01  01  00  00」などと表示することで実現できる。
【００５１】
上記実施形態では、別種類のジョブ情報をそのまま全て表示する例を示したが、別種類のジョブ情報のうち、所定種類の記号のみを抽出して表示するようにしてもよい。例えば、別種類のジョブ情報が日付時刻情報である場合、この日付時刻情報から予め定められた記号のみを抽出して表示することができる。具体的には、日付時刻情報が「Thu,9 Nov 2006 16:42:52」であり、予め定められた記号が、数字及びコロンである場合には、この予め定められた数字とコロンのみを抽出して「2006  16:42:52」と表示するようにしてもよい。
【００５２】
上記実施形態では、「ユーザー情報」として、ファイルを作成したユーザー名を例示したが、コンピュータのユーザー名をユーザ情報とし、特定種類のジョブ情報として扱ってもよい。
【００５３】
実施形態２では、「所定状態」として、「表示不能な文字が一定数以上の状態」を例示したが、これに限らず、「表示不能な文字が全体に対して一定割合以上の状態」や、「表示不能な文字が特定箇所に含まれる状態」などを「所定状態」としてもよい。
【００５４】
実施形態２では、図８に示すように、特定種類のジョブ情報として印刷ジョブ名を例示したが、図５のようにユーザ名及び印刷ジョブ名を特定種類のジョブ情報としてもよく、ユーザ名のみを特定種類のジョブ情報としてもよい。
【図面の簡単な説明】
【００５５】
【図１】本発明の実施形態１に係る画像形成装置を用いた画像形成システムを例示するブロック図
【図２】印刷ジョブデータを概念的に説明する説明図
【図３】ジョブ情報を具体的に説明する説明図
【図４】ジョブ情報の表示処理を例示するフローチャート
【図５】図４の一部を変更した変更例を示すフローチャート
【図６】表示不能な文字が含まれる場合の表示例を示す説明図
【図７】別種類のジョブ情報の表示例を示す説明図
【図８】実施形態２におけるジョブ情報の表示処理を例示するフローチャート
【符号の説明】
【００５６】
１…画像形成装置
２１…ＣＰＵ（取得手段、判断手段、表示制御手段）
２６…表示パネル（表示手段）
【図１】
2008149534.tif 000003
【図２】
2008149534.tif 000004
【図３】
2008149534.tif 000005
【図４】
2008149534.tif 000006
【図５】
2008149534.tif 000007
【図６】
2008149534.tif 000008
【図７】
2008149534.tif 000009
【図８】
2008149534.tif 000010